(57)【要約】【課題】保護板に人や物が当たっても上肢を確実に防護できるとともに、患者に心理的な圧迫感を与え難い上肢防護具の提供。【解決手段】上肢防護具Ａは、垂直部１１、内方へ湾曲して上方に延びる湾曲部１２、直角に屈曲する水平部１３を有する保護板１と、垂直部１１の内壁面から手術台３の方向に延出する保持板２とを一体形成してなり、患者３２の上肢３３が位置するマット下面３４と台上面３５との間に保持板２を差し込み、保持板２より下側のコ字状部をサイドレール３６に挟み込んで使用する。上肢防護具Ａは、保護板１の外壁面に物や人が当たっても動かないので上肢を防護できる。【選択図】図２
2007202582.tif 000002
【特許請求の範囲】
【請求項１】
上方へ垂直に延びる基部、この基部の上部から内方へ湾曲して上方に延びる湾曲部を有する保護板と、
保護板下端から所定長だけ上方の基部から内方へ直角に延びる保持板とを有し、
該保持板より下側の基部が掛止面として機能することを特徴とする上肢防護具。
【請求項２】
上方へ垂直に延びる基部、この基部の上部から内方へ湾曲して上方に延びる湾曲部を有する保護板と、
保護板下端から所定長だけ上方の基部から内方へ直角に延びる保持板とを有する上肢防護具であって、
前記保護板の基部の下端を内方へ水平に延出させ、前記保持板より下側の断面Ｌ字状の基部が掛止部材として機能することを特徴とする上肢防護具。
【請求項３】
上方へ垂直に延びる基部、この基部の上部から内方へ湾曲して上方に延びる湾曲部を有する保護板と、
保護板下端から所定長だけ上方の基部へ、先端が内方を向く様に直角に固定される保持板とを有し、
該保持板より下側の基部が掛止面として機能することを特徴とする上肢防護具。
【請求項４】
上方へ垂直に延びる基部、この基部の上部から内方へ湾曲して上方に延びる湾曲部を有する保護板と、
保護板下端からの距離が調整可能な様に、先端が内方を向く様に、保護板下端より上方の基部へ直角に取り付けられる保持板とを有し、
該保持板より下側の基部が掛止面として機能することを特徴とする上肢防護具。
【発明の詳細な説明】
【技術分野】
【０００１】
本発明は、マットを載置した処置台に患者を横たわらせ、マットの下面と処置台の上面との間に保持板を差し込んで使用したり、患者が横たわる処置台のサイドレールにクランプした上肢テーブルへ上肢固定具を面状ファスナーで取り付け、上肢固定具の差し込み部に保持板を差し込んで使用する上肢防護具に関する。なお、処置台は、手術、治療（点滴や透析等）、検査等を行うベットである。
【背景技術】
【０００２】
断面が半円状の略透明の腕保護具で腕を覆う抜針防止用腕保持具が知られている（特許文献１）。
また、断面が略コ字状の上肢防護具（品番；１００１４０Ａ０）も村中医療器（株）から販売されている。この上肢防護具は、パットの下に滑り込ませて使用し、患者の体重により保持される。
【特許文献１】特開２００２−１７２１６４号公報
【発明の開示】
【発明が解決しようとする課題】
【０００３】
特許文献１の抜針防止用腕保持具は、抜針事故を防止可能であるが、腕保護具の着脱に手間がかかる。また、断面円弧状の保護カバー内に腕を入れる構造であり、上肢の自由度が大きく制限されているので、患者によっては、心理的な拘束感を感じる。
【０００４】
一方、断面が略コ字状の上肢防護具は、下記に示す課題を有する
・上肢防護具は、垂直板の上縁から上肢方向へ屈曲する水平部分が短いので、上方防護（上方からの器具の衝突や落下）が弱いとともに、着脱時に腕が水平部分に当る虞がある。  
【０００５】
・処置台横を往来する関係者（医師や看護師等）や医療用品が上肢防護具の垂直板に当たって上肢防護具が処置台方向へ押されると、垂直板には掛止部分が無いので、上肢を載せた状態で上肢防護具が処置台方向へ移動してしまう。
【０００６】
本発明の目的は、保護板に人や物が当たっても上肢を確実に防護できるとともに、患者に心理的な圧迫感を与え難い上肢防護具の提供にある。
【課題を解決するための手段】
【０００７】
〔請求項１について〕
上肢防護具は、上方へ垂直に延びる基部、この基部の上部から内方へ湾曲して上方に延びる湾曲部を有する保護板と、保護板下端から所定長だけ上方の基部から内方へ直角に延びる保持板とを有する。この上肢防護具は、保持板より下側の基部が掛止面として機能する。なお、保持板は保護板と一体でも別体でも良い。
【０００８】
請求項１の上肢防護具は、マットを載置した処置台に患者を横たわらせ、マットの下面と処置台の上面との間に保持板を差し込んで使用する。また、患者が横たわる処置台のサイドレールにクランプした上肢テーブルへ上肢固定具を面状ファスナーで取り付け、上肢固定具の差し込み部に保持板を差し込んで使用することもできる。
【０００９】
上肢防護具は、保護板が、上方へ垂直に延びる基部の上部から、湾曲部が内方へ湾曲して上方に延びているので上方防護に優れる。また、患者に心理的な圧迫感を与え難い。
例えば、誤って医療用品（メス、鉗子、注射器等）が湾曲部に落ちても、保護板の外壁面に沿って処置台外方へ案内されるので上肢が防護できる。
また、処置台横を往来する関係者（医師や看護師等）の腕等が誤って上肢近傍へ移動しても、基部の上部から内方へ湾曲して上方に延びる湾曲部の外壁面に阻まれ、上肢への衝突が阻止されるので上肢を防護できる。
【００１０】
マットの下面と処置台の上面との間に保持板を差し込んで上肢防護具を使用する際に、医療器具（点滴装置等）や、処置台横を往来する関係者（医師や看護師等）の身体が誤って保護板の基部に当たった場合には、上肢防護具が処置台方向へ押されるが、保持板より下側の基部が掛止面として機能して処置台に動きを阻止されるので上肢防護具が処置台方向へ移動しない。
【００１１】
処置台のサイドレールにクランプした上肢テーブルへ上肢固定具を面状ファスナーで取り付け、上肢固定具の差し込み部に保持板を差し込んで上肢防護具を使用する際に、医療器具（点滴装置等）や、処置台横を往来する関係者（医師や看護師等）の身体が誤って保護板の基部に当たった場合には、上肢防護具が上肢方向へ押されるが、保持板より下側の基部が掛止面として機能して上肢テーブルに動きを阻止されるので上肢防護具が移動しない。
【００１２】
この上肢防護具は、使用中に、保護板の基部に物や人が当たると、上肢防護具に掛止された上肢が動いてしまうという不具合を防止できるので、上肢を確実に防護できる。
【００１３】
〔請求項２について〕
上肢防護具は、上方へ垂直に延びる基部、この基部の上部から内方へ湾曲して上方に延びる湾曲部を有する保護板と、保護板下端から所定長だけ上方の基部から内方へ直角に延びる保持板とを有し、保護板の基部の下端を内方へ水平に延出させている。この上肢防護具は、保持板より下側の断面Ｌ字状の基部が掛止部材として機能する。なお、保持板は保護板と一体でも別体でも良い。
【００１４】
請求項２の上肢防護具は、マットを載置した処置台に患者を横たわらせ、マットの下面と処置台の上面との間に保持板を差し込んで使用する。また、患者が横たわる処置台のサイドレールにクランプした上肢テーブルへ上肢固定具を面状ファスナーで取り付け、上肢固定具の差し込み部に保持板を差し込んで使用することもできる。
【００１５】
上肢防護具は、保護板が、上方へ垂直に延びる基部の上部から、湾曲部が内方へ湾曲して上方に延びているので上方防護に優れる。また、患者に心理的な圧迫感を与え難い。
例えば、誤って医療用品（メス、鉗子、注射器等）が湾曲部に落ちても、保護板の外壁面に沿って処置台外方へ案内されるので上肢が防護できる。
また、処置台横を往来する関係者（医師や看護師等）の腕等が誤って上肢近傍へ移動しても、基部の上部から内方へ湾曲して上方に延びる湾曲部の外壁面に阻まれ、上肢への衝突が阻止されるので上肢を防護できる。
【００１６】
マットの下面と処置台の上面との間に保持板を差し込んで上肢防護具を使用する際に、医療器具（点滴装置等）や、処置台横を往来する関係者（医師や看護師等）の身体が誤って保護板の基部に当たった場合には、上肢防護具が処置台方向へ押される。また、誤って保護板の湾曲部に当たった場合には上肢防護具が傾こうとする。
しかし、保持板より下側の断面Ｌ字状の基部が掛止部材として機能して処置台に挙動を阻止されるので上肢防護具が処置台方向へ移動しない。
【００１７】
処置台のサイドレールにクランプした上肢テーブルへ上肢固定具を面状ファスナーで取り付け、上肢固定具の差し込み部に保持板を差し込んで上肢防護具を使用する際に、医療器具（点滴装置等）や、処置台横を往来する関係者（医師や看護師等）の身体が誤って保護板の基部に当たった場合には、上肢防護具が上肢方向へ押される。また、誤って保護板の湾曲部に当たった場合には上肢防護具が傾こうとする。
しかし、保持板より下側の断面Ｌ字状の基部が掛止部材として機能して挙動を阻止されるので上肢防護具が移動したり、傾いたりしない。
【００１８】
この上肢防護具は、使用中に、保護板の基部や湾曲部に物や人が当たると、上肢防護具に掛止された上肢が動いてしまうという不具合を防止できるので、上肢を確実に防護できる。なお、断面Ｌ字状の基部の各寸法は、処置台の厚さ、または、上肢テーブルの厚さに対応して決める。
【００１９】
〔請求項３について〕
上肢防護具は、上方へ垂直に延びる基部、この基部の上部から内方へ湾曲して上方に延びる湾曲部を有する保護板と、保護板下端から所定長だけ上方の基部へ、先端が内方を向く様に直角に固定される保持板とを有する。この上肢防護具は、保持板より下側の基部が掛止面として機能する。なお、保持板と保護板とは別体である。
【００２０】
請求項３の上肢防護具は、マットを載置した処置台に患者を横たわらせ、マットの下面と処置台の上面との間に保持板を差し込んで使用する。また、患者が横たわる処置台のサイドレールにクランプした上肢テーブルへ上肢固定具を面状ファスナーで取り付け、上肢固定具の差し込み部に保持板を差し込んで使用することもできる。
【００２１】
なお、上肢防護具は、下記に示す様に、保持板と保護板とを同一材料または異なる材料で形成しても良い。
・保持板を金属、保護板を透明プラスチックで形成する場合。
⇒衝撃を受けても動き難く、上肢の状態も良く見える。
・保持板をプラスチック、保護板をゴムで形成する場合。
⇒衝撃を保護板で吸収できる。
・保持板をプラスチック、保護板を金属で形成する場合。
⇒保護板に液体がかかっても溶け難い。
・保持板および保護板を共に透明プラスチックで形成する場合。
⇒上肢の状態が良く見える。
【００２２】
上肢防護具は、保護板が、上方へ垂直に延びる基部の上部から、湾曲部が内方へ湾曲して上方に延びているので上方防護に優れる。また、患者に心理的な圧迫感を与え難い。
例えば、誤って医療用品（メス、鉗子、注射器等）が湾曲部に落ちても、保護板の外壁面に沿って処置台外方へ案内されるので上肢が防護できる。
また、処置台横を往来する関係者（医師や看護師等）の腕等が誤って上肢近傍へ移動しても、基部の上部から内方へ湾曲して上方に延びる湾曲部の外壁面に阻まれ、上肢への衝突が阻止されるので上肢を防護できる。
【００２３】
マットの下面と処置台の上面との間に保持板を差し込んで上肢防護具を使用する際に、医療器具（点滴装置等）や、処置台横を往来する関係者（医師や看護師等）の身体が誤って保護板の基部に当たった場合には、上肢防護具が処置台方向へ押されるが、保持板より下側の基部が掛止面として機能して処置台に動きを阻止されるので上肢防護具が処置台方向へ移動しない。
【００２４】
処置台のサイドレールにクランプした上肢テーブルへ上肢固定具を面状ファスナーで取り付け、上肢固定具の差し込み部に保持板を差し込んで上肢防護具を使用する際に、医療器具（点滴装置等）や、処置台横を往来する関係者（医師や看護師等）の身体が誤って保護板の基部に当たった場合には、上肢防護具が上肢方向へ押されるが、保持板より下側の基部が掛止面として機能して上肢テーブルに動きを阻止されるので上肢防護具が移動しない。
【００２５】
この上肢防護具は、使用中に、保護板の基部に物や人が当たると、上肢防護具に掛止された上肢が動いてしまうという不具合を防止できるので、上肢を確実に防護できる。
【００２６】
〔請求項４について〕
上肢防護具は、上方へ垂直に延びる基部、この基部の上部から内方へ湾曲して上方に延びる湾曲部を有する保護板と、保護板下端からの距離が調整可能な様に、先端が内方を向く様に、保護板下端より上方の基部へ直角に取り付けられる保持板とを有する。この上肢防護具は、保持板より下側の基部が掛止面として機能する。なお、保持板は、保護板と別体であり、固定する位置を可変することができる。
【００２７】
請求項４の上肢防護具は、マットを載置した処置台に患者を横たわらせ、マットの下面と処置台の上面との間に保持板を差し込んで使用する。また、患者が横たわる処置台のサイドレールにクランプした上肢テーブルへ上肢固定具を面状ファスナーで取り付け、上肢固定具の差し込み部に保持板を差し込んで使用することもできる。
【００２８】
なお、上肢防護具は、下記に示す様に、保持板と保護板とを同一材料または異なる材料で形成しても良い。
・保持板を金属、保護板を透明プラスチックで形成する場合。
⇒衝撃を受けても動き難く、上肢の状態も良く見える。
・保持板をプラスチック、保護板を金属で形成する場合。
⇒保護板に液体がかかっても溶け難い。
・保持板および保護板を共に透明プラスチックで形成する場合。
⇒上肢の状態が良く見える。
【００２９】
上肢防護具は、保護板が、上方へ垂直に延びる基部の上部から、湾曲部が内方へ湾曲して上方に延びているので上方防護に優れる。また、患者に心理的な圧迫感を与え難い。
例えば、誤って医療用品（メス、鉗子、注射器等）が湾曲部に落ちても、保護板の外壁面に沿って処置台外方へ案内されるので上肢が防護できる。
また、処置台横を往来する関係者（医師や看護師等）の腕等が誤って上肢近傍へ移動しても、基部の上部から内方へ湾曲して上方に延びる湾曲部の外壁面に阻まれ、上肢への衝突が阻止されるので上肢を防護できる。
【００３０】
マットの下面と処置台の上面との間に保持板を差し込んで上肢防護具を使用する際に、医療器具（点滴装置等）や、処置台横を往来する関係者（医師や看護師等）の身体が誤って保護板の基部に当たった場合には、上肢防護具が処置台方向へ押されるが、保持板より下側の基部が掛止面として機能して処置台に動きを阻止されるので上肢防護具が処置台方向へ移動しない。
なお、上肢防護具は、処置台のマットの厚みや、患者の上肢体の高さ等を考慮して、保持板を固定する位置（高さ）を変えることができるので使い勝手が良い。
【００３１】
処置台のサイドレールにクランプした上肢テーブルへ上肢固定具を面状ファスナーで取り付け、上肢固定具の差し込み部に保持板を差し込んで上肢防護具を使用する際に、医療器具（点滴装置等）や、処置台横を往来する関係者（医師や看護師等）の身体が誤って保護板の基部に当たった場合には、上肢防護具が上肢方向へ押されるが、保持板より下側の基部が掛止面として機能して上肢テーブルに動きを阻止されるので上肢防護具が移動しない。なお、上肢防護具は、処置台のサイドレールの高さや、患者の上肢体の高さ等を考慮して、保持板を固定する位置（高さ）を変えることができるので使い勝手が良い。
【００３２】
この上肢防護具は、使用中に、保護板に物や人が当たると、上肢防護具に掛止された上肢が動いてしまうという不具合を防止できるので、上肢を確実に防護できる。
【発明を実施するための最良の形態】
【００３３】
上肢防護具は、上方へ垂直に延びる垂直部、およびこの垂直部の上部から上肢上方へ曲がる湾曲部を有する透明の保護板（プラスチック製）と、この保護板の下端から数ｃｍ上方に設けた一組の三角柱の隙間内へ始端を嵌めて接着した透明の保持板（プラスチック製）とからなる。この上肢防護具は、マットを載置した手術台に、患者を横たわらせ、患者の上肢が位置するマット下面と台上面との間に保持板を差し込んで使用する。
【００３４】
保護板の外壁面に物（医療器具等）や人（手術台の横を通る看護師等）が当ると上肢防護具が手術台方向へ押されるが保護板の下端部が処置台に当るので、上肢防護具の移動（処置台の中央方向）が阻止される。
【００３５】
保護板の内外面に人や物が当たっても、上肢防護具および上肢が動き難いので上肢を保護することができる。
上肢防護具の保護板は略透明であるとともに、上方へ垂直に延びる垂直部の上部から、上肢上方へ曲がって湾曲部が延びているので患者が圧迫感を感じ難い。
【実施例１】
【００３６】
本発明の実施例１（請求項２に対応）を図１および図２に基づいて説明する。
上肢防護具Ａは、保護板１と保持板２とを透明のプラスチック板（厚さ数ｍｍ）で一体形成してなる。
保護板１は、上方へ略垂直に延びる垂直部１１と、この垂直部１１の上部から内方へ湾曲して上方に延びる湾曲部１２と、垂直部１１の下端から内方へ直角に屈曲する水平部１３とを有する。
【００３７】
保持板２は、長方形の透明のプラスチック板（厚さ数ｍｍ）である。
この保持板２は、保護板１の下端から数ｃｍ上方の垂直部１１の内壁面から手術台３の方向に延出している。なお、保持板２の始端２１と保護板１の垂直部１１との成す角は直角である。
【００３８】
この上肢防護具Ａは、マット３１を載置した手術台３に、患者３２を仰向け姿勢で横たわらせ、患者３２の上肢３３が位置するマット下面３４と台上面３５との間に保持板２を差し込み、始端２１、垂直部１１の下部、および水平部１３により構成されるコ字状部を手術台３のサイドレール３６に挟み込んで使用する。
なお、湾曲部１２には、クッション３７が嵌め込まれる。そして、手術台３の患者３２の上肢３３にはチューブを取り付けた注射針が刺され、点滴や透析等の処置が行われる（図２参照）。
【００３９】
実施例１の上肢防護具Ａは、下記の利点を有する。
上肢防護具Ａは、保持板２より下側に位置する断面Ｌ字状の基部（水平部１３および垂直部１１の下部により構成される）が掛止部材として機能する。
つまり、物（医療器具等）や人（手術台３の横を通る医師等）が保護板１の外壁面に当ると上肢防護具Ａが手術台３の方向へ押されるが、上記断面Ｌ字状の基部が手術台３のサイドレール３６に挙動を阻止されるので、上肢防護具Ａが手術台３方向へ移動しない。
故に、保護板１の外壁面に人や物が当たった場合の、上肢防護具Ａおよび上肢３３の動きを防止できるので上肢３３を保護することができる。
【００４０】
上肢防護具Ａは、保護板１と保持板２とを一体形成しているので、強度に優れ、衝撃が加わっても保護板１と保持板２とが分離してしまうという不具合が起き難い。
【００４１】
上肢防護具Ａは、厚さ数ｍｍの透明のプラスチック板であるとともに、上方へ略垂直に延びる保護板１の垂直部１１の上部から、湾曲部１２が内方へ湾曲して上方に延びているので上方防護に優れる。また、保護板１が上肢３３を完全に包囲しないので患者３２に心理的な圧迫感を与え難い。
例えば、誤って医療用品（メス、鉗子、注射器等）が湾曲部１２の外壁側（クッションの外側面）に落ちても、保護板１の外壁面に沿って処置台外方へ案内されるので上肢３３が防護できる。
【００４２】
また、医療器具（点滴装置等）や、手術台３の横を往来する関係者（医師や看護師等）の腕等が保護板１に当たった場合には、上肢防護具Ａが手術台３の方向へ押される。また、当る位置によっては上肢防護具Ａが傾こうとする。
しかし、断面Ｌ字状の基部が掛止部材として機能してサイドレール３６に挙動を阻止されるので上肢防護具Ａが手術台３の方向へ移動しない。
【００４３】
また、患者３２が無意識下で上肢３３を動かして湾曲部１２を外方向へ押し出そうとする場合には、回動する水平部１３がサイドレール３６に阻止されるので、上肢防護具Ａの脱落が防止できる。
【実施例２】
【００４４】
つぎに、本発明の実施例２（請求項１、３に対応）を、図３に基づいて説明する。
図３に示す如く上肢防護具Ｂは、保護板４に保持板５を接着してなる。
保護板４は、透明のプラスチック板（厚さ数ｍｍ）であり、上方へ略垂直に延びる垂直部４１と、この垂直部４１の上部から上肢上方へ曲がる湾曲部４２とを有する。
【００４５】
保護板４は、下端から数ｃｍ上方の垂直部４１の内壁面に、断面が直角三角形の三角柱４３、４３を隙間４４を開けて接着している。
【００４６】
保持板５は、長方形の透明のプラスチック板（厚さ数ｍｍ）である。保持板５の始端５１は、三角柱４３、４３の隙間４４に嵌め込まれ、図示しない接着剤により垂直部４１の内壁面に接着している。なお、保持板５の始端５１と保護板４の垂直部４１との成す角は直角である。
【００４７】
この上肢防護具Ｂは、上肢防護具Ａと同様、マットを載置した手術台に患者を仰向け姿勢で横たわらせ、患者の上肢が位置するマット下面と台上面との間に保持板５を差し込んで使用する。なお、湾曲部には、同様のクッションが嵌め込まれる。そして、手術台の患者の上肢にはチューブを取り付けた注射針が刺され、点滴や透析等の処置が行われる。
【００４８】
実施例２の上肢防護具Ｂは、下記の利点を有する。
上肢防護具Ｂは、保持板５より下側の基部（垂直部４１の下部により構成される）の内壁面が掛止面として機能する。
つまり、物（医療器具等）や人（手術台の横を通る医師等）が保護板４の外壁面に当ると上肢防護具Ｂが手術台の方向へ押されるが、上記基部が手術台のサイドレールに当るので、上肢防護具Ｂの手術台方向への移動を阻止できる。
故に、保護板４の外壁面に人や物が当たった場合の、上肢防護具Ｂおよび上肢の動きを防止できるので上肢を保護することができる。
【００４９】
上肢防護具Ｂは、保護板４の下端から数ｃｍ上方の垂直部４１の内壁面に三角柱４３、４３を隙間４４を開けて接着し、保持板５の始端５１を隙間４４に嵌め込み、接着剤で垂直部４１の内壁面に接着している。このため、保護板４と保持板５とを一体形成するタイプの上肢防護具に比べ製造コストを安くできる。
【００５０】
上肢防護具Ｂは、厚さ数ｍｍの透明のプラスチック板であるとともに、上方へ略垂直に延びる保護板４の垂直部４１の上部から、湾曲部４２が内方へ湾曲して上方に延びているので上方防護に優れる。また、保護板４が上肢を完全に包囲しないので患者に心理的な圧迫感を与え難い。
例えば、誤って医療用品（メス、鉗子、注射器等）が湾曲部４２の外壁側（クッションの外側面）に落ちても、保護板４の外壁面に沿って処置台外方へ案内されるので上肢３３が防護できる。
【００５１】
また、医療器具（点滴装置等）や、手術台の横を往来する関係者（医師や看護師等）の腕等が保護板４に当たった場合には、上肢防護具Ｂが手術台の方向へ押される。また、当る位置によっては上肢防護具Ｂが傾こうとする。しかし、基部の内壁面が掛止面として機能してサイドレールに挙動を阻止されるので上肢防護具Ｂが手術台の方向へ移動しない。
【実施例３】
【００５２】
つぎに、本発明の実施例３（請求項１に対応）を図４〜図６に基づいて説明する。
上肢防護具Ｃは、上肢防護具Ａと同様、保護板１と保持板２とを透明のプラスチック板（厚さ数ｍｍ）で一体形成してなる。
保護板１は、透明のプラスチック板（厚さ数ｍｍ）であり、上方へ垂直に延びる垂直部１４と、この垂直部１４の上部から上肢上方へ曲がる湾曲部１５とを有する。
【００５３】
保持板２は、長方形の透明のプラスチック板（厚さ数ｍｍ）である。
この保持板２は、保護板１の下端から数ｃｍ上方の垂直部１４の内壁面から処置台方向に延出している。なお、保持板２の始端２１と保護板１の垂直部１４との成す角は直角である。
【００５４】
この上肢防護具Ｃは、サイドレール３６を有し、マットを載置した手術台３に、患者を仰向け姿勢で横たわらせ、クランプ機構６１を有する上肢テーブル６を手術台３のサイドレール３６にクランプし、面状ファスナーが付いたリボン７１で布製の上肢固定具７（低反発クッション入り）を上肢テーブル６のテーブル６２に取り付け、上肢固定具７の差し込み部７０に保持板２を差し込んで使用する。なお、上肢防護具Ｃは、面状ファスナーが付いたリボンで上肢テーブル６に固定される。
【００５５】
この上肢テーブル６は、手術台３と並行｛図６の（ａ）｝、斜め｛図６の（ｂ）｝、または、手術台３と直角｛図６の（ｃ）｝にサイドレール３６へ固定される。
そして、手術台３の患者の上肢にはチューブを取り付けた注射針が刺され、点滴や透析等の治療が行われる。
【００５６】
上肢テーブル６のクランプ機構６１は、シャフト６３と、ハンドル６４を引くと向きが変えられるアーム６５と、サイドレール３６を把持するための爪６６、６７と、爪６７を開くためのクランプレバー６８とを備える。
【００５７】
上肢固定具７は、面状ファスナー７２が付いたリボン７３を、他方の面状ファスナー７４に押圧することで患者３２の上肢３３を掛止する構造である。
【００５８】
実施例３の上肢防護具Ｃは、下記の利点を有する。
手術台３のサイドレール３６にクランプした上肢テーブル６へ上肢固定具７をリボン７１で取り付け、上肢固定具７の差し込み部に保持板２を差し込んで上肢防護具Ｃを使用する（図６参照）際に、医療器具（点滴装置等）や、手術台３横を往来する関係者（医師や看護師等）の身体が誤って保護板１に当たった場合には、上肢防護具Ｃが手術台３方向へ押されるが、保持板２より下側の垂直部１４の内壁面が掛止面として機能して上肢テーブル６に動きを阻止されるので上肢防護具Ｃが手術台３方向へ移動しない。
【００５９】
上肢防護具Ｃは、保護板１が、上方へ垂直に延びる垂直部１４の上部から、湾曲部１５が内方へ湾曲して上方に延びているので上方防護に優れる。
例えば、誤って医療用品（メス、鉗子、注射器等）が湾曲部１５のクッション３７に落ちても、クッション３７の外側面に沿って手術台３外方へ案内されるので上肢が防護できる。
また、手術台３横を往来する関係者（医師や看護師等）の腕等が誤って上肢近傍へ移動しても、垂直部１４の上部から内方へ湾曲して上方に延びる湾曲部１５に取り付けたクッション３７に阻まれ、上肢への衝突が阻止されるので上肢を防護できる。また、湾曲部１５が内方へ湾曲しているので患者に心理的な圧迫感を与え難い。
【００６０】
この上肢防護具Ｃを使用すると、保護板１に物や人が当たった場合に、上肢が動いてしまうという不具合を防止できるので、上肢固定具７に固定した上肢を確実に防護できる。  また、上肢防護具Ｃは、保護板１と保持板２とを一体形成しているので強度に優れ、衝撃が加わっても保護板１と保持板２とが分離しない。
【００６１】
手術台３のサイドレール３６にクランプした上肢テーブル６へ上肢固定具７を取り付け、差し込み部に上肢防護具Ｃの保持板２を差し込んで使用することにより、手術台３と並行｛図６の（ａ）｝、斜方向｛図６の（ｂ）｝、または、手術台３と直角｛図６の（ｃ）｝にサイドレール３６に上肢テーブル６を固定することが可能であり、任意のアングルに上肢を保持することができる。
【実施例４】
【００６２】
つぎに、本発明の実施例４（請求項１、３、４に対応）を図７の（ａ）に基づいて説明する。
上肢防護具Ｄは、保護板４に保持板５を横から嵌め込んでなる。
保護板４は、透明のプラスチック板（厚さ数ｍｍ）であり、上方へ垂直に延びる垂直部４１と、この垂直部４１の上部から上肢上方へ曲がる湾曲部４２とを有する。
【００６３】
保護板４は、下端から数ｃｍ上方の垂直部４１に、溝入口が狭く溝底が広い断面略コ字状の溝４５、４６を有する嵌込部４７、４８を形成している
【００６４】
保持板５は、長方形の透明のプラスチック板（厚さ数ｍｍ）である。保持板５の始端５１は、端側程、肉厚に形成され、嵌込部４７の溝４５（または、嵌込部４８の溝４６）に、挿脱可能に横方向から嵌め込まれている。なお、保持板５と保護板４の垂直部４１との成す角は直角である。
【００６５】
この上肢防護具Ｄは、実施例１の上肢防護具Ａの様に、マットを載置した手術台に、患者を仰向け姿勢で横たわらせ、患者の上肢が位置するマット下面と台上面との間に保持板を差し込んで使用する。なお、湾曲部４２には、クッションを取り付ける。そして、手術台の患者の上肢にはチューブを取り付けた注射針が刺され、点滴や透析等の処置が行われる。
また、上肢防護具Ｄは、実施例３の上肢防護具Ｃの様に、手術台のサイドレールにクランプした上肢テーブルへ上肢固定具を面状ファスナーで取り付け、上肢固定具の差し込み部に保持板５を差し込んで使用することもできる。
【００６６】
実施例４の上肢防護具Ｄは、上肢を防護できるという効果以外に下記の利点を有する。  上肢防護具Ｄは、手術台のマットの厚みや、患者の上肢体の高さに応じて、保持板５を、嵌込部４７、４８の溝４５、溝４６の何れかに横方向から嵌め込むことができるので使い勝手が良い。また、使用時において、保持板５の保護板４からの抜けを防止できる。
【００６７】
上肢防護具Ｄを使用しない場合は、保持板５を横に引っ張って、嵌込部４７、４８の溝４５、溝４６から外すことができる。このため、上肢防護具Ｄは、使い勝手が良いとともに、収納時に嵩ばらない。
【実施例５】
【００６８】
つぎに、本発明の実施例５（請求項４に対応）を図８に基づいて説明する。
上肢防護具Ｅは、保護板８に保持板９を嵌め込んでなる。
保護板８は、厚肉（厚さ数ｃｍ）の透明のプラスチック板であり、上方へ垂直に延びる垂直部８１と、この垂直部８１の上部から上肢上方へ曲がる湾曲部８２とを有する。なお、保持板９と保護板８の垂直部８１との成す角は直角である。
【００６９】
保護板８の垂直部８１の内方側の壁面の各端には、断面が台形の長溝８３と、断面が長方形の溝８４とが形成されている。
【００７０】
保持板９は、長方形の透明のプラスチック板（厚さ数ｍｍ）である。この保持板９の始端側には、長溝８３に嵌まる断面が台形の突起９１、９１が形成されている。
スペーサー９２は透明な柱状体（断面が台形）であり、溝８４から挿入して溝８３へ嵌め込まれる。９３は、挿脱用の突起が付いたゴム柱であり、溝８４に嵌まる大きさを呈する。
【００７１】
実施例５の上肢防護具Ｅは、上肢を防護できるという効果以外に下記の利点を有する。  上肢防護具Ｅは、手術台のマットの厚みや、患者の上肢体の高さに応じて突起９１を嵌め込む位置を変えて、保持板９の高さを四段階に調整することができるので使い勝手が良い。
【００７２】
上肢防護具Ｅを使用しない場合は、保持板９を保護板８から外すことができる。このため、上肢防護具Ｅは、使い勝手が良いとともに、収納時に嵩ばらない。
【００７３】
本発明は、上記実施例以外に、つぎの実施態様を含む。
ａ．上肢防護具は、下記に示す様に、保持板と保護板とを同一材料または異なる材料で形成しても良い。
・保持板を金属、保護板を透明プラスチックで形成する。
⇒衝撃を受けても動き難く、上肢の状態も良く見える。
・保持板をプラスチック、保護板を金属で形成する。
⇒保護板に液体がかかっても溶け難い。
・保持板および保護板を共に透明プラスチックで形成する。
⇒上肢の状態が良く見える。
・保持板および保護板を共に金属で形成する。
⇒衝撃に強く、液体がかかっても溶け難い。
【００７４】
ｂ．保護板の湾曲部にクッションを取り付けるか否かは任意である。
ｃ．上肢テーブルのサイドレールへのクランプは、処置台の左右、何れの側でも良い。
ｄ．実施例４において、使用時における保持板５の保護板４からの抜け防止は、図７の（ｂ）、（ｃ）、（ｄ）の様な構造であっても良い。
【図面の簡単な説明】
【００７５】
【図１】本発明の実施例１に係る上肢防護具の、要部拡大図付きの斜視図である。
【図２】実施例１に係る上肢防護具の使用例を示す説明図である。
【図３】本発明の実施例２に係る上肢防護具の、要部拡大図付きの斜視図である。
【図４】本発明の実施例３に係る上肢防護具の、要部拡大図付きの斜視図である。
【図５】本発明の実施例３に係る上肢防護具を上肢テーブルに取り付けた上肢固定具に差し込んだ状態を示す説明図である。
【図６】本発明の実施例３に係る上肢防護具の取り付け向きが異なる状態を示す説明図である。
【図７】（ａ）は抜け防止を図った本発明の実施例４に係る上肢防護具の、要部拡大図付きの斜視図であり、（ｂ）、（ｃ）、（ｄ）は抜け防止構造の変形例に係る要部拡大図である。
【図８】本発明の実施例５に係る上肢防護具の、要部拡大図付きの斜視図である。
【符号の説明】
【００７６】
Ａ、Ｂ、Ｃ、Ｄ、Ｅ  上肢防護具
１、４、８  保護板
２、５、９  保持板
３  手術台（処置台）
６  上肢テーブル
７  上肢固定具
１１、１４、４１、８１  垂直部
１２、１５、４２、８２  湾曲部
２１、５１  始端（板基部）
【図１】
2007202582.tif 000003
【図２】
2007202582.tif 000004
【図３】
2007202582.tif 000005
【図４】
2007202582.tif 000006
【図５】
2007202582.tif 000007
【図６】
2007202582.tif 000008
【図７】
2007202582.tif 000009
【図８】
2007202582.tif 000010